(57)【要約】本発明は、異なるタイプのメディアコンテンツを用いて動作するシステムであって、ユーザが第１タイプの第１コンテンツを用いることを可能にするように備えられたシステムに関する。このシステムは、前記ユーザが第２タイプの第２コンテンツを同時に用いることを確認する確認手段であって、前記第２コンテンツは前記第１コンテンツと関係していない、確認手段と、前記第２コンテンツを前記第１コンテンツと関連付ける関連付け手段とを有する。本発明は又、異なるタイプのメディアコンテンツを用いて動作する方法に関する。
2006500674.tif 000002
【特許請求の範囲】
【請求項１】
異なるタイプのメディアコンテンツを用いて動作するシステムであって、ユーザが第１タイプの第１コンテンツを用いることを可能にするように備えられたシステムであり：
前記ユーザが第２タイプの第２コンテンツを同時に用いることを確認する確認手段であって、前記第２コンテンツは前記第１コンテンツと関係していない、確認手段；及び
前記第２コンテンツを前記第１コンテンツと関連付ける関連付け手段；
を有することを特徴とするシステム。
【請求項２】
請求項１に記載のシステムであって、前記の関連付けられた第１コンテンツ及び第２コンテンツに関連する情報を有するメタデータを記憶するように備えられた記憶手段を更に有する、ことを特徴とするシステム。
【請求項３】
請求項１に記載のシステムであって、前記コンテンツを選択するように備えられた選択手段を更に有する、ことを特徴とするシステム。
【請求項４】
請求項２又は３に記載のシステムであって、前記選択手段は、前記の関連付けられた第２コンテンツの選択のときに前記第１コンテンツを確認し、及び／又は前記メタデータに記憶された前記情報を用いて、前記の関連付けられた第１コンテンツの選択のときに前記第２コンテンツを確認するように更に備えられている、ことを特徴とするシステム。
【請求項５】
請求項４に記載のシステムであって、前記選択手段は、前記選択手段を用いて、前記の関連付けられた第１コンテンツ及び第２コンテンツの一のユーザ操作可能選択のとき前記の関連付けられた第１コンテンツ又は第２コンテンツを推薦するための推薦器として機能するように更に備えられている、ことを特徴とするシステム。
【請求項６】
請求項４に記載のシステムであって、前記の関連付けられた第２コンテンツ及び第１コンテンツを同時に出力するように備えられた出力手段を更に有する、ことを特徴とするシステム。
【請求項７】
請求項２又は３に記載のシステムであって、前記選択手段は前記メタデータをユーザが操作可能にして修正するように更に備えられている、ことを特徴とするシステム。
【請求項８】
請求項１に記載のシステムであって、前記確認手段は、第２タイプ又は他のタイプの第３コンテンツのユーザによる使用を確認するように備えられており、前記使用は前記第１コンテンツの前記のユーザによる使用と同時的であり、前記第３コンテンツは前記第１コンテンツと関連していない、システムであり、前記関連付け手段は前記第３コンテンツと前記第１コンテンツとを関連付けるように備えられ、前記システムは、前記第１コンテンツの前記第２コンテンツ及び／又は前記第３コンテンツの前記関連付けをレーティングするように備えられたレーティング手段を更に有する、ことを特徴とするシステム。
【請求項９】
請求項１に記載のシステムであって、複数の装置を有し、各々の装置は、前記メディアコンテンツの少なくとも１つのタイプを出力するように備えられた出力手段及び／又は前記メディアコンテンツの少なくとも１つのタイプを得るように備えられた入力手段を有する、ことを特徴とするシステム。
【請求項１０】
請求項１乃至９のいずれ一項に記載のシステムであって、前記第１コンテンツ及び前記第２コンテンツは映像コンテンツ及び音声コンテンツに対応する、ことを特徴とするシステム。
【請求項１１】
メディアコンテンツの異なるタイプを用いて操作する方法であって、第１タイプの第１コンテンツのユーザによる使用を確認する段階を有する方法であり：
前記ユーザが第２タイプの第２コンテンツを同時に用いることを確認する段階であって、前記第２コンテンツは前記第１コンテンツと関係していない、段階；及び
前記第２コンテンツを前記第１コンテンツと関連付ける段階；
を有することを特徴とする方法。
【請求項１２】
前記コンピュータプログラムプロダクトを実行するとき、プログラム可能装置が請求項１に記載のシステムとして機能することを可能にするコンピュータプログラムプロダクト。
【発明の詳細な説明】
【技術分野】
【０００１】
本発明は、異なるタイプのメディアコンテンツを用いて動作するためのシステムであって、ユーザが第１種類の第１コンテンツを使用することを可能にするように備えられている、システムに関する。
【０００２】
本発明は又、異なるタイプのメディアコンテンツを動作するための方法であって、ユーザが第１種類の第１コンテンツのユーザによる使用を確認する段階を有する、方法に関する。
【背景技術】
【０００３】
米国特許出願公開第２００２／０００２５６４Ａ１号明細書において、連続的オーディオビジュアルデータであって、例えば、動画、映像プログラム、音声プログラム等のメディアコンテンツの視聴、再生及び供給のためのデータ処理手段について開示している。例えば、ＭＰＥＧ−１システムストリーム又は他のフォーマットのメディアコンテンツ、並びに音声及び製造コンテンツを記述する記述データは、それらが検索されることができるデータベースに記憶されることができる。記述データは、例えば、規格化がＷｏｒｌｄ  Ｗｉｄｅ  Ｗｅｂ  Ｃｏｎｓｏｒｔｉｕｍにより実行された拡張可能マークアップ言語（ＸＭＬ）を使用することにより表現される。記述データは、例えば、タイトル、キャプション、優先順位、位置、開始時間、終了時間等の音声及び映像コンテンツのパラメータを記述する。メディアコンテンツの映像及び音声ストリームは、相互に同期化され、映像再生手段及び音声再生手段に供給される。メディアコンテンツは、ユーザのために更にレンダリングされる。周知のデータ処理手段おいて、ユーザは、供給される音声及び映像コンテンツの同時レンダリングを要求する又は無効にすることが可能である。ユーザは、利用可能なメディアコンテンツの映像部分のみ又は音声部分のみが供給されるように選択することが可能である。
【０００４】
周知のデータ処理手段においては、音声及び映像コンテンツは、コンテンツプロバイダであって、例えば、テレビ放送局等から共に受信されるため、音声コンテンツ及び映像コンテンツは互いに対応している。同時に、ユーザは、コンテンツプロバイダにより関係付けられないメディアコンテンツの同時レンダリングを好む可能性がある。異なるコンテンツのレンダリングに関するユーザの好みが考慮されていないことが、先行技術の欠点である。
【発明の開示】
【発明が解決しようとする課題】
【０００５】
本発明の目的は、異なるコンテンツの同時レンダリングに関するユーザの好みを考慮する、冒頭の段落に規定された種類のメディアコンテンツの異なるタイプで動作するシステムを備えることである。
【０００６】
本発明の目的は、システムが、ユーザが第２タイプの第２コンテンツを同時に用いることを確認するための確認手段であって、前記第２コンテンツは第１コンテンツとは関係がない、確認手段と、前記第２コンテンツが第１コンテンツと関連付けられるための関連付け手段とを有することで実現される。
【課題を解決するための手段】
【０００７】
システムのいずれの方法においていずれの参照により関連付けられない、異なるタイプのコンテンツ、例えば、音声及び映像が、ユーザの好みと関連している可能性がある。例えば、ユーザは、異なるタイプの幾つかのコンテンツの同時レンダリングを好む可能性があり、又は、それらのコンテンツの組み合わせは、ユーザを、ある生活経験等を思い起こさせることが可能である。システムは、システムにおけるそのようなコンテンツ間の関係を登録するための関連付け手段と確認手段とを有する。確認手段は、ユーザが、第１タイプの第１コンテンツと、もしかしたら異なる方式における第２タイプの第２コンテンツとを同時に用い、例えば、見て、聞くことを確認し、このとき、前記第１コンテンツ及び前記第２コンテンツはシステムに関連していない。関連付け手段は、システムがこの関係を利用することを可能にするように、前記第１コンテンツと第２コンテンツとを関連付ける。
【０００８】
本発明の有利点の１つは、その関連付け手段は、前記コンテンツのユーザの使用を妨げることなく、ユーザに対して、自動的に且つユーザに意識させることなく、実行されるため、ユーザは、そのようなコンテンツを関連付けるようにシステムに明示的に命令する必要はない。他の有利点は、コンテンツ間のリンクをシステムのユーザに対して独自のものとすることができ、そのシステムは、通常、音声及び映像を有する映画又はテレビプログラムがコンテンツプロバイダから得られるとき、可能ではないことである。
【０００９】
本発明の目的は又、メディアコンテンツの異なるタイプで動作する方法が、ユーザが第２タイプの第２コンテンツを同時に用いることを確認する段階であって、前記第２コンテンツは第１コンテンツを関係しない、段階と、前記第２コンテンツを第１コンテンツと関連付ける段階とを、更に有することで実現される。
【００１０】
本発明の以上の及び他の特徴については、添付図を参照して説明し、明らかにする。
【発明を実施するための最良の形態】
【００１１】
今日、多くの人々は多くのメディアコンテンツを使用している。人々は、例えば、音声記録、カメラを使用しての撮影、ホームビデオの作製等により、異なる音声及び映像情報を見、聴き、閲覧し、並びに彼等自身のメディアコンテンツを作成する。例えば、ケーブル、衛星又は他のリンクを用いるテレビセット（ＴＶセット）、ビデオカセットレコーダ（ＶＣＲ）、家庭用ステレオ、インターネット放送、ワールドワイドウェブ、携帯用及び据え置き型ラジオ、ＣＤプレーヤ、携帯情報端末（ＰＤＡ）等のような、種々の汎用電気製品１１０を、図１に示すように、上記の目的のために使用することができる。上記の装置の各々は、例えば、メディアコンテンツを得、選択し、記録し、プレーするために用いられるユーザインタフェースを有することが可能である。汎用電気製品のいずれ１つは、ユーザが少なくとも１つのメディアコンテンツを用いるようにし、それらの装置の幾つかは少なくとも２つの異なるタイプのコンテンツを入力又は出力することが可能である。本発明に従ったシステムは、ユーザが少なくとも２つの異なるタイプのコンテンツを同時に用いること確認するための確認手段１２０を有し、これらのコンテンツは、システムに関係せず、例えば、システムは、前記コンテンツ間の関係を示すデータを含まない。そのような確認手段１２０は、システムにおけるユーザのアクティビティをモニタリングすることができるいずれの手段であって、例えば、カメラから得られたデータを処理することによりユーザの行動を分析するように備えられている専用のデータ処理ユニットに接続されたモニタリングカメラであることが可能であり、前記データ処理ユニットは、メディアコンテンツを記録する汎用電気製品の一部であることが可能である。
【００１２】
メディアコンテンツを入力する及び／又は出力することができる１つの又は多くのメディア装置はシステムに組み込まれることが可能である。複数のそのような装置が組み込まれるとき、それらは互いと通信するための手段（図示せず）を有することが可能であり、例えば、それら装置はネットワークに接続されることが可能である。それらの通信手段は、それらの装置からのコンテンツのユーザによる利用に関する情報を得るために備えられ、前記情報を提供する個々の装置を認識することが可能である。例えば、各々の装置は、ユーザにより用いられるコンテンツに関する情報及び確認であって、例えば、システムにおける所定のタイプの１つである使用コンテンツのタイプを通信手段に出力する。確認手段の機能性に関する更なる詳細については、当業者には明白であろう。
【００１３】
メディアコンテンツは、基本的には、視覚情報、音声情報、テキスト、メディアコンテンツを記述するデータ又はその複製のいずれの組み合わせ又は少なくとも１つを有することが可能である。表現音声データ又は音声コンテンツは、以下、可聴音、サイレンス、発話、静寂、外部騒音等に関するデータとして用いる。表現映像データ又は映像コンテンツは、動画、静止画像、キャラクタ等のような可視的なデータをして用いられる。ユーザの装置は、例えば、ＭＰＥＧ（Ｍｏｖｉｎｇ  Ｐｉｃｔｕｒｅ  Ｅｘｐｅｒｔｓ  Ｇｒｏｕｐ）、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）、Ｓｈｏｃｋｗａｖｅ、ＱｕｉｃｋＴｉｍｅ、ＷＡＶ（Ｗａｖｅｆｏｒｍ  Ａｕｄｉｏ）等のいずれのフォーマットで、音声テープ、映像テープ、光記憶ディスク、フロッピー（登録商標）ディスク及びハードドライブディスク等のような異なる担体に記憶されたメディアコンテンツを得るように備えられることが可能である。コンテンツは又、ユーザのために前記コンテンツをレンダリングするユーザの装置により受信するように、例えば、ＴＶ又はラジオ等のコンテンツプロバイダにより放送されることが可能である。コンテンツの異なるタイプの例は、楽曲又は音楽、動画、静止画像、又は、例えば画像スライド等の静止画像の集合、アニメーション、テキスト、メディアコンテンツに関連するメタデータ等のプレーリストであることが可能である。例えば、メタデータは、ラジオコンテンツであって、例えば、ユーザの生活圏において利用可能である無線局及び最も高頻度の放送コンテンツを規定することが可能である。メタデータは、例えば、現在の歌が終了したときに次の歌が開始する音楽プレーリスト、例えば、見て調べることができる好みのチャネルのコレクションを有するラジオ局又はテレビチャネルのプログラムリストを有することが可能である。
【００１４】
図２を参照するに、本発明のシステムの機能ブロック図を示している。システム２００は、前記２つの又はそれ以上のコンテンツを関連付けるための関連付け手段２１０と確認手段１２０とを有し、それらの同時使用は確認手段１２０により確認される。確認手段は、システムに同時に用いられるコンテンツに関する情報を関連付け手段に出力する。関連付け手段は、前記関連付けコンテンツにリンクするデータを確立するように備えられている。一例においては、メタデータは、例えば、名前／タイトル、例えば、コンテンツをレンダリングするために用いられる装置の確認等のコンテンツのソース又はコンテンツへのリンクのような、関連コンテンツについての情報を有することが可能である。コンテンツを用いる間に観測されるユーザの行動であって、例えば、見る、聞く等のようなユーザの行動のタイプは、表１に示すような、コンテンツレンダリング、日付、コンテンツの使用の開始及び／又は終了時間、レンダリングの持続時間等がユーザにより開始されたか否かに拘らず、予め決定される。勿論、メタデータに含まれる情報の幾つかを確認手段１２０から得ることが可能である。
【００１５】
【表１】
2006500674.tif 000003
関連付け手段は、コンテンツを関連付けるためのユーザの同意を得るために彼／彼女へのコンテンツに関する情報を通信し、又は自動的にコンテンツを関連付けるように備えられる。システムは又、対応するコンテンツの関連付けに関してユーザに間単に知らせることが可能である。
【００１６】
システムは、メタデータを記憶するために備えられた記憶手段２２０と、コンテンツを選択するために備えられた選択手段２３０と、関連付けコンテンツを出力するために関連付けられた出力手段２４０と、関連付けコンテンツをレーティングするために備えられたレーティング手段２５０とを、任意に有することが可能である。
【００１７】
メタデータは、いずれの標準的データ構造又はデータベース、例えばＸＭＬのようないずれの言語において実施され、それらを区別するに十分である関連付けられたコンテンツに関する情報のいずれの量を有することが可能である。一実施例においては、メタデータは、対応するコンテンツと共に記憶手段２２０であって、例えば、対応するメディアデータのヘッダに記憶されることが可能である。新しいメタデータは、あるコンテンツが関連付け手段により関連付けられたかどうかを確立されることが可能である。それ故、複数のメタデータの記録は、記録手段により記憶されることが可能である。
【００１８】
２つの関連付けられたコンテンツに関する情報を記憶するメタデータを与えると、選択手段２３０は、関連付けられた第２コンテンツの選択のときに第１コンテンツを確認するように備えられることが可能であり、その逆も又同様である。それ故、システムは、それらのコンテンツの１つが選択され、これらの関連付けられたコンテンツ間の関係が確立された場合、関連付けられたコンテンツ全てを常に見つけることができる。出力手段は、関連付けられたコンテンツを同時にプレーする、再生する等を行うように備えられることが可能である。
【００１９】
選択手段は、メディアコンテンツの推薦器として機能するように更に備えられる。推薦器は、ユーザの好みに関連したコンテンツを推薦するためのメタデータを利用することが可能である。そのように、推薦がユーザのために独自のものにすることができる。
【００２０】
推薦器は、ユーザが１つのコンテンツを選択し、彼／彼女の好みに従って異なるタイプの他のコンテンツを推薦されることを好む場合、関連付けられたコンテンツを推薦するように備えられることが可能である。推薦器は、例えば、類似する主題、トピックス、カテゴリ、ジャンル等を有する、関連付けられたコンテンツの１つに関連するコンテンツを推薦するように更に備えられることが可能である。例えば、歌とクリップが関連付けられる場合、推薦器は、クリップの選択に関して、関連付けられた歌及び関連付けられた歌に類似する他の歌を推薦することが可能である。
【００２１】
推薦器は、レーティング手段２５０により提供されるレーティングに基づくコンテンツを推薦するように備えられることが可能である。メタデータは、例えば、ユーザからの明示的又は暗示的フィードバックとして、それらをレーティングするために異なる方法で解釈されることが可能である。例えば、ユーザが明示的に開始した再生、又は、両方のメディアコンテンツのユーザの消費の他の方法を有し、例えば、それらのコンテンツをレンダリングするためのユーザの要求がシステムに入力された場合、メディアコンテンツはユーザにより明示的に関連付けられたと考えられる。レーティング手段２５０はそのようなコンテンツの関連付けを高くレーティングすることが可能であり、又は、高信頼性は、そのような関連付けに関連させることが可能である。表１に示しているように、Ｎ＋１個のメタデータの記録は、ユーザが映像コンテンツＣの表示及び音声コンテンツＤのプレーを開始したことを示している。それ故、コンテンツＣ及びＤは、最大レーティングであって、例えば、最大有効レーティングとして１ポイントに関連付けられる。コンテンツの１つが、使用するため又はレンダリングするためにユーザにより明示的に選択されない場合、それらコンテンツの関連付けはより低くなるようにレーティングされ、又は低い信頼性が与えられる。例えば、表１において、コンテンツＡ及びＢは、コンテンツＢ、即ち歌がラジオでプレーされ、ユーザがこれを開始したのではないため、コンテンツＣ及びＤのレーティングより低いレーティング、即ち、１における０．５に関連付けられる。
【００２２】
コンテンツの関連付けを評価するための他の基準を、レーティング手段により用いることが可能である。例えば、メディアコンテンツの関連付けは又、コンテンツの同時レンダリング中のユーザの行動、即ち、システム自体により開始されたとき、コンテンツの同時レンダリングを開始するためのユーザの反応、等により影響されることはない。関連付けられたコンテンツの他のパラメータ及び特性であって、関連コンテンツについてのユーザの使用等は、メタデータに記憶され、それらのレーティングのために用いられることが可能である。
【００２３】
他の実施形態においては、レーティング手段は、関連付けられたコンテンツを同時に用いる時間数に依存して、関連付けられたコンテンツをレーティングすることが可能である。例えば、コンテンツが、しばしば、共に用いられる場合、それらは高レーティングが与えられる。
【００２４】
他の実施形態において、第１コンテンツが第２コンテンツ及び第３コンテンツに関連付けられる場合、レーティング手段は第１コンテンツの第２コンテンツとの前記関連付け、及び第１コンテンツの第３コンテンツとの異なる関連付けをレーティングするように備えられることが可能である。例えば、第１コンテンツと第２コンテンツとの関連付けは、第１コンテンツが第３コンテンツと用いられるより第２コンテンツとよりしばしば用いられる場合、より高くレーティングされる。他の例においては、第１コンテンツの関連付けは、第１コンテンツと第２コンテンツの同時使用が第１コンテンツと第３コンテンツとの使用よりより新しい場合、第２コンテンツとの場合により高くなる。それ故、そのように関連付けられたコンテンツは、それらが新しく用いられた場合、より高くレーティングされる。
【００２５】
関連付けられたコンテンツの例について図３を参照して説明する。コンテンツ“音声１”３１０はコンテンツ“映像１”３２０と関連付けられる。そのような関連付けは、異なるタイプのコンテンツの関連付けについての本発明の概念を示している。同時に、コンテンツ“映像１”３２０は、異なるタイプの他のコンテンツであって、例えば、“音声２”３３０、“音声３”３４０等と更に関連付けられることが可能である。コンテンツ“音楽演奏リスト”３５０のタイプは、コンテンツ“映像１”３２０に又関連付けられるものであるが、タイプ“音楽”のコンテンツの群に対応するコンテンツの個別のタイプとみなされる。次に、コンテンツ“音声１”３１０と“音声３”３４０とは、コンテンツ“画像１”３６０とコンテンツ“映像１”３２０とに関連付けられることが可能である。この例においては、ユーザがコンテンツ“音声３”を選択し、推薦器にタイプ“音声”と異なるタイプのメディアコンテンツを推薦するように要求する場合、推薦器葉コンテンツ“画像１”３６０及び“映像１”３２０を推薦することが可能であり、これは、それらのコンテンツが、ユーザが選択したコンテンツ“音声３”３４０と関連付けられているからである。
【００２６】
図４を参照するに、システムで異なる時間に用いられるメディアコンテンツの例を示している。“メディアコンテンツ１”４１０は、時間Ｔ１１（４１１）から時間Ｔ１２（４１２）までシステムで用いられ、“メディアコンテンツ２”４２０は、時間Ｔ２１（４２１）から用いられ、“メディアコンテンツ３”４３０は、時間Ｔ３１（４３１）から用いられた。コンテンツ４１０、４２０及び４３０は、それらの使用に対して異なる時間の長さを有する。コンテンツ４１０の使用は、コンテンツ４２０の使用より早く開始されたが、この時間の差（Ｔ２１−Ｔ１１）は、コンテンツ４１０及び４２０の同時使用の持続時間（４１２−４２１）より非常に短い。確認手段１２０は、対応するメタデータにおける前記時間情報を有するための関連付け手段２１０に対するコンテンツの開始時間、終了時間、同時使用の時間を提供するように備えられることが可能である。関連付け手段は、関連コンテンツの使用が終了するときの時間の差又は時間差（Ｔ２１−Ｔ１１）と対応するコンテンツの同時使用の持続時間との間の比を評価するように備えられることが可能である。一例において、同時使用の持続時間が、使用の重なり合っていない時間より非常に短い場合、関連付け手段は、コンテンツの同時使用を無視し、それぞれのメタデータは確立されないように備えられることが可能である。例えば、コンテンツ４１０及び４３０の同時使用の持続時間（４１２−４３１）は、それらの使用の重なり合っていない持続時間に対して非常に短い。関連付け手段は、それぞれのメタデータにおける前記の評価された比の値を有することが可能である。他の例においては、コンテンツ４１０と４２０との関連付けは、上記の考慮の観点から、コンテンツ４１０と４３０との関連付けより高くレーティングされる。
【００２７】
本発明の一実施形態において、選択手段２３０は、ユーザがシステムでメタデータを修正ことを可能にする。勿論、例えば、キーボード、マウス、タッチスクリーン、音声認識手段等の入力手段を有する適切なユーザインタフェースが備えられることが可能であり、出力手段２４０は、例えば、表示装置、音声再生手段などによりユーザにメタデータを提供するように備えられることが可能である。
【００２８】
確認手段、関連付け手段、選択手段及びレーティング手段は、マイクロプロセッサ（図示せず）により実行されるとき、上記のような手段の機能を実行することができるプログラムを記憶した読み出し専用メモリ（ＲＯＭ）とランダムアクセスメモリに結合された前記マイクロプロセッサを用いることにより実行されることが可能である。記憶手段２２０は前記ＲＯＭにより実現されることが可能である。メディアコンテンツは、適切に配置されたデータ受信手段（図示せず）により外部ソースからダウンロードされ、又は、システム内に局所的に記憶されることが可能である。対応する内部回路および外部回路を用いてそのようなマイクロプロセッサを実現することは、当業者には理解されるであろうから、ここでは説明を省略する。
【００２９】
図５を参照するに、本発明のシステムの動作を表す本発明の方法を示している。異なるタイプのメディアコンテンツを用いる動作方法に従って、異なるタイプの第１コンテンツと第２コンテンツとの同時使用は段階５１０において確認され、前記２つのコンテンツの関係はシステムにおいては既知ではない。段階５２０において、前記第１コンテンツ及び第２コンテンツは、それらの同時のユーザの使用により関連付けられるとき、関連付けられる。例えば、ユーザは、システムにおけるＣＤプレーヤによりプレーされる特定の音楽と共に表示スクリーン上のピクチャのスライドショーを見ることが可能であり、又は、ユーザは、特定のピクチャをダウンロードしたいとき、しばしば、ある音楽を聴くことが可能である。そのような同時にユーザにより用いられるコンテンツは関連付けられる。上記の本発明のシステムの実施形態に対応する方法の実施形態を想定することが可能である。
【００３０】
種々のプログラムプロダクトは本発明のシステムの機能及び方法を実行することが可能であり、ハードウェアで幾つかの方式において結合されること又は異なる装置に位置付けられることが可能である。上記の実施形態の変形及び修正は、本発明の概念の範囲内で可能である。それ故、例えば、‘を有する’及びその派生表現の使用は、請求項に記載の要素又は段階の存在を排除するものではない。本発明は、幾つかの個別の要素を有するハードウェアにより、及び適切にプログラムされたコンピュータにより実施されることができる。幾つかの手段を列挙した装置請求項においては、それらの手段の幾つかを同一のハードウェアにより具現化することができる。
【００３１】
‘コンピュータプログラム’は、フロッピー（登録商標）ディスク等のコンピュータ読み取り可能媒体、インターネット等のネットワークによりダウンロード可能媒体、又はいずれの他の方式の購入可能な媒体に記憶されたいずれのソフトウェアプロダクトを意味するとして理解される必要がある。
【図面の簡単な説明】
【００３２】
【図１】本発明の一般的スキームを示す図である。
【図２】本発明を実行するために適切なシステムの機能ブロック図である。
【図３】関連付けられた異なるタイプのコンテンツとそれらコンテンツ間の関係の例を示す図である。
【図４】異なるメディアコンテンツのユーザによる使用の時間シーケンスの例を示す図である。
【図５】本発明の方法の実施形態を示す図である。
【図１】
2006500674.tif 000004
【図２】
2006500674.tif 000005
【図３】
2006500674.tif 000006
【図４】
2006500674.tif 000007
【図５】
2006500674.tif 000008
【国際調査報告】
2006500674.tif 000009
2006500674.tif 000010
2006500674.tif 000011